(57)【要約】【課題】  デザインの自由度を高める。【解決手段】  ディスクトレイを、ＣＤ再生時に本体ケース４内部に収納される収納位置と、外部に露出される露出位置との間で移動可能に設ける。本体ケース４の前面に、露出開口７を形成する。本体ケース４内部に、シャッタ１０を配設する。シャッタ１０を、露出開口７を開放する開放位置と遮蔽する遮蔽位置とで開閉可能に設ける。本体ケース４内部に、左支持板１４を取り付ける。左支持板１４に左ギアカム１７を回動可能に取り付ける。ユーザがシャッタ１０を押圧すると、左ギアカム１７がＡ方向に回動し、回動部２４ｂは鉛直位置まで回動する。制御部は、シャッタ位置検出スイッチ２４からの閉位置信号の入力が停止されたことに応答して、モータを駆動して左ギアカム１７を回動させ、シャッタ１０を遮蔽位置から開放位置まで開放させる。【選択図】        図７
2007035129.tif 000002
【特許請求の範囲】
【請求項１】
ディスクの着脱時に外部に露出される露出位置と前記ディスクの再生時に内部に収納される収納位置とで移動するディスクトレイと、前記ディスクトレイを外部に露出可能にする露出開口が形成された本体ケースと、を備えたディスクプレーヤにおいて、
前記本体ケース内部に設けられ、前記露出開口を開放する開放位置と前記露出開口を遮蔽する閉位置とで開閉するシャッタと、
前記シャッタを開閉可能に支持する支持部材、及び変位可能に設けられ、前記シャッタを開閉させるとともに前記シャッタの開閉に応じて変位するカムを有する開閉手段と、
前記シャッタの位置を検出するシャッタ位置検出手段と、を備え、
前記シャッタは、操作者によって前記閉位置から前記開放位置に向けて開放可能に設けられ、
前記開閉手段は、前記シャッタ位置検出手段で前記シャッタが前記閉位置から前記開放位置に向けて開放されたことが検出されたことに応答して、前記カムを変位させて前記シャッタを開放位置に開放させることを特徴とするディスクプレーヤ。
【請求項２】
前記ディスクトレイを移動させる移動手段を備え、
前記移動手段は、前記シャッタ位置検出手段で前記シャッタが開放位置に位置することが検出されたことに応答して、前記ディスクトレイを前記収納位置から前記露出位置まで移動させることを特徴とする請求項１記載のディスクプレーヤ。
【請求項３】
前記シャッタは、前記閉位置に位置するときに前記露出開口に挿入される挿入部を有することを特徴とする請求項１または２記載のディスクプレーヤ。
【請求項４】
前記カムは、前記シャッタを閉位置から開放位置に開放させるときに、前記シャッタを後方に移動させた後に回動させることを特徴とする請求項１ないし３いずれか１つ記載のディスクプレーヤ。
【請求項５】
前記ディスクトレイの位置を検出するトレイ位置検出手段を備え、
前記開閉手段は、前記トレイ位置検出手段で前記ディスクトレイが収納位置に位置することが検出されたことに応答して、前記シャッタを前記閉位置に閉じることを特徴とする請求項１ないし４いずれか１つ記載のディスクプレーヤ。
【発明の詳細な説明】
【技術分野】
【０００１】
本発明は、ディスクに記録された情報の再生や記録を行うディスクプレーヤに関するものである。
【背景技術】
【０００２】
ＣＤプレーヤ、ＤＶＤプレーヤ等のディスクプレーヤには、ＣＤ、ＤＶＤなどの光ディスクが記憶媒体として用いられている。これらのディスクプレーヤでは、光ディスクを装填するディスクトレイを、本体ケースに対して移動自在に組み込み、光ディスクの着脱時にはディスクトレイを本体ケース外に引き出し、使用時にはディスクトレイを本体ケース内に格納するように構成される。このため、本体ケースの前面パネルには、ディスクトレイを本体ケース外に露出するための露出開口が形成されている。
【０００３】
ディスクプレーヤの内部には、精密部品が多数組み込まれており、上記した露出開口から異物や塵埃が侵入した場合には、故障することがある。このため、ディスクトレイを本体ケース内に格納した状態では、シャッタにより露出開口を遮蔽している。一般的には、ディスクトレイの前面を露出開口と一致するように形成し、ディスクトレイの前面により露出開口を遮蔽している。
【０００４】
また、特許文献１では、フロントパネルに形成されたトレーの出入口（本件の露出開口）を、第１，第２ドア（本件のシャッタ）で開閉し、トレーの移動に連動して、第１，第２ローラ及び第１，第２レバーを介して、第１，第２ドアを開閉して出入口を開閉するようにしたディスクドライブのドア装置が提案されている。
【特許文献１】特開２００５−６３６４２号公報
【発明の開示】
【発明が解決しようとする課題】
【０００５】
しかしながら、特許文献１では、トレーを移動させて第１，第２ドアを開放するための操作ボタンを本体ケースに設ける必要があり、デザインの自由度が低下するという問題があった。
【０００６】
本発明は、上記課題を解決するためになされたものであり、デザインの自由度を高めることができるディスクプレーヤを提供することを目的とする。
【課題を解決するための手段】
【０００７】
上記目的を達成するために、本発明のディスクプレーヤは、ディスクの着脱時に外部に露出される露出位置と前記ディスクの再生時に内部に収納される収納位置とで移動するディスクトレイと、前記ディスクトレイを外部に露出可能にする露出開口が形成された本体ケースと、を備えたディスクプレーヤにおいて、前記本体ケース内部に設けられ、前記露出開口を開放する開放位置と前記露出開口を遮蔽する閉位置とで開閉するシャッタと、前記シャッタを開閉可能に支持する支持部材、及び変位可能に設けられ、前記シャッタを開閉させるとともに前記シャッタの開閉に応じて変位するカムを有する開閉手段と、前記シャッタの位置を検出するシャッタ位置検出手段と、を備え、前記シャッタは、操作者によって前記閉位置から前記開放位置に向けて開放可能に設けられ、前記開閉手段は、前記シャッタ位置検出手段で前記シャッタが前記閉位置から前記開放位置に向けて開放されたことが検出されたことに応答して、前記カムを変位させて前記シャッタを開放位置に開放させることを特徴とする。なお、前記ディスクとしては、ＣＤ、ＤＶＤ等が挙げられる。また、前記カムの変位としては、移動、回動等が挙げられるが、前記カムは回動可能であることが好ましい。さらに、前記開閉手段は、前記カムを変位させる変位部材、例えばモータ等を有することが好ましい。
【０００８】
また、前記ディスクトレイを移動させる移動手段を備え、前記移動手段は、前記シャッタ位置検出手段で前記シャッタが開放位置に位置することが検出されたことに応答して、前記ディスクトレイを前記収納位置から前記露出位置まで移動させることが好ましい。なお、前記ディスクトレイは、操作者によって前記露出位置から前記収納位置に向けて移動可能に設けられ、前記移動手段は、操作者が前記ディスクトレイを前記露出位置から前記収納位置に向けて移動させたことに応答して、前記ディスクトレイを前記収納位置まで移動させることが好ましい。
【０００９】
さらに、前記シャッタは、前記閉位置に位置するときに前記露出開口に挿入される挿入部を有することが好ましい。また、前記カムは、前記シャッタを閉位置から開放位置に開放させるときに、前記シャッタを後方に移動させた後に回動させることが好ましい。
【００１０】
さらに、前記ディスクトレイの位置を検出するトレイ位置検出手段を備え、前記開閉手段は、前記トレイ位置検出手段で前記ディスクトレイが収納位置に位置することが検出されたことに応答して、前記シャッタを前記閉位置に閉じることが好ましい。
【発明の効果】
【００１１】
本発明のディスクプレーヤによれば、ディスクの着脱時に外部に露出される露出位置とディスクの再生時に内部に収納される収納位置とで移動するディスクトレイと、ディスクトレイを外部に露出可能にする露出開口が形成された本体ケースと、本体ケース内部に設けられ、露出開口を開放する開放位置と露出開口を遮蔽する閉位置とで開閉するシャッタと、シャッタを開閉可能に支持する支持部材、及び変位可能に設けられ、シャッタを開閉させるとともにシャッタの開閉に応じて変位するカムを有する開閉手段と、シャッタの位置を検出するシャッタ位置検出手段と、を備え、シャッタは、操作者によって閉位置から開放位置に向けて開放可能に設けられ、開閉手段は、シャッタ位置検出手段でシャッタが閉位置から開放位置に向けて開放されたことが検出されたことに応答して、カムを変位させてシャッタを開放位置に開放させるから、シャッタを閉位置から開放位置に向けて開放するだけで、シャッタを開放位置に開放させることができ、シャッタを開閉させるための操作スイッチを本体ケースに設ける必要がなく、本体ケースのデザインの自由度を高めることができる。
【００１２】
また、ディスクトレイを移動させる移動手段を備え、移動手段は、シャッタ位置検出手段でシャッタが開放位置に位置することが検出されたことに応答して、ディスクトレイを収納位置から露出位置まで移動させるから、シャッタを閉位置から開放位置に向けて開放し、開閉手段によりシャッタを開放位置に開放させるだけで、ディスクトレイを収納位置から露出位置まで移動させることができ、ディスクトレイ５を移動させるための操作スイッチを本体ケースに設ける必要がなく、本体ケースのデザインの自由度を高めることができる。
【発明を実施するための最良の形態】
【００１３】
図１及び図２に本発明を用いたディスクプレーヤの１実施例であるＣＤプレーヤ２の外観を示す。ＣＤプレーヤ２は、ＣＤ（ディスク）３にアクセスしてＣＤ３に記録されたデータの再生を行うものである。ＣＤプレーヤ２の本体ケース４の内部には、レーザ光を照射してＣＤ（ディスク）３にアクセスする光ピックアップ、ＣＤ３を回転させるスピンドルモータ、チャッキングコア、ＣＤ３が装填されるディスクトレイ５、ディスクトレイ５の位置を検出するトレイ位置検出センサ（トレイ位置検出手段）、回路基板等を含む公知のプレーヤユニット６が組み込まれている。ディスクトレイ５は、ＣＤ３の外径に対応した窪みが形成されており、ディスクトレイ５の窪みに合わせてＣＤ３を装填すると、チャッキングコアがＣＤ３のチャック孔３ａに係合してＣＤ３を保持する。
【００１４】
本体ケース４の前面には、ディスクトレイ５を外部に露出するための露出開口７が形成されており、露出開口７の下方には、ＬＣＤ８が設けられている。露出開口７は、ユーザが指を挿入可能な大きさで形成されている。
【００１５】
ディスクトレイ５は、ＣＤ３再生時に本体ケース４内部に収納される収納位置（図１参照）と、本体ケース４外部に露出される露出位置（図２参照）との間で移動可能に設けられており、モータ等を含む移動機構（図示せず）により移動される。ディスクトレイ５が収納位置に位置するときには、シャッタ１０を後方に向けて押圧（遮蔽位置から開放位置に向けて開放）すると、ディスクトレイ５が露出位置まで移動し、ディスクトレイ５が露出位置に位置するときには、ディスクトレイ５を後方に向けて押圧すると、ディスクトレイ５が収納位置まで移動する。プレーヤユニット６のトレイ位置検出センサは、ＣＤプレーヤ２の主制御を行う制御部２５（図４参照）に接続されており、ディスクトレイ５が収納位置に位置するときには収納信号を、ディスクトレイ５が露出位置に位置するときには露出信号を、制御部２５に出力する。本実施形態では、ディスクトレイ５を移動させる移動手段は、移動機構と制御部２５とから構成されている。
【００１６】
図３及び図４に示すように、本体ケース４内部には、露出開口７を開放及び遮蔽するためのシャッタ１０が配設されている。シャッタ１０は、露出開口７を遮蔽する遮蔽位置（閉位置）に位置するときに露出開口７に挿入される挿入板１１と、挿入板１１の後方に固着された略コ字状の開閉板１２とからなる。挿入板１１は、露出開口７の外周よりも大きい外周のベース１１ａに、露出開口７の外周と略一致する挿入部１１ｂが形成されている。開閉板１２の図３における右側面には、第１右挿通ピン１２ａ及び第２右挿通ピン１２ｂが取り付けられており、開閉板１２の図３における左側面には、第１左挿通ピン１２ｃ及び第２左挿通ピン１２ｄが取り付けられている。
【００１７】
本体ケース４内部には、シャッタ１０を変位自在に支持するための右支持板（支持部材）１３及び左支持板（支持部材）１４が取り付けられている。右支持板１３には、第１右挿通ピン１２ａを挿通するための第１右挿通孔１３ａ、第２右挿通ピン１２ｂを挿通するための第２右挿通孔１３ｂが形成されている。右支持板１３には、右カム１５を回動可能に支持するための右支持ピン１６が取り付けられている。
【００１８】
右カム１５は、円盤状に形成され、第１右挿通ピン１２ａが挿通される右カム孔１５ａ、右取付孔１５ｂ、右連結ボス１５ｃが形成されている。右連結ボス１５ｃには、右連結孔１５ｄが形成されており、右連結孔１５ｄは略Ｄ字状に形成されている。右カム１５には、右カム孔１５ａの周囲を覆う右カバー凸部１５ｅが形成されている。右カム１５を右支持板１３に取り付ける場合には、第１右挿通ピン１２ａが右カム孔１５ａに挿通されるように、右支持ピン１６に右カム１５の右取付孔１５ｂを挿通させ、ワッシャ等を右支持ピン１６の先端部に形成された溝に挿入する。これにより、右カム１５は、回動可能に右支持板１３に取り付けられる。
【００１９】
左支持板１４には、第１左挿通ピン１２ｃを挿通するための第１左挿通孔１４ａ、第２左挿通ピン１２ｄを挿通するための第２左挿通孔１４ｂが形成されている。左支持板１４には、左ギアカム１７を回動可能に支持するための左支持ピン１８、第２ギア２２の支軸となる軸ピン１９が取り付けられている。
【００２０】
左ギアカム１７は、円盤状に形成され、外周にはギアが形成されている。左ギアカム１７には、第１左挿通ピン１２ｃが挿通される左カム孔１７ａ、左取付孔１７ｂ、左連結ボス１７ｃが形成されている。左連結ボス１７ｃには、左連結孔１７ｄが形成されており、左連結孔１７ｄは略Ｄ字状に形成されている。左ギアカム１７には、左カム孔１７ａの周囲を覆う左カバー凸部１７ｅ、第１スイッチ押圧ボス１７ｆ、第２スイッチ押圧ボス１７ｇが形成されている。左ギアカム１７を左支持板１４に取り付ける場合には、第１左挿通ピン１２ｃが左カム孔１７ａに挿通されるように、左支持ピン１８に左ギアカム１７の左取付孔１７ｂを挿通させ、ワッシャ等を左支持ピン１８の先端部に形成された溝に挿入する。これにより、左ギアカム１７は、回動可能に左支持板１４に取り付けられる。
【００２１】
左支持板１４には、モータ２３のモータシャフト２３ａを挿通するためのシャフト挿通孔１４ｃ、モータ２３を取り付けるための２個のモータ取付孔１４ｄ、シャッタ位置検出スイッチ２４を取り付けるためのスイッチ取付孔１４ｅが形成されている。
【００２２】
モータ取付孔１４ｄを介して、ビスをモータ２３にビス締めすると、モータ２３は左支持板１４に取り付けられる。そして、モータシャフト２３ａに第１ギア２１を圧入し、軸ピン１９に第２ギア２２を回動可能に取り付けると、第１ギア２１と第２ギア２２とが噛合し、第２ギア２２と左ギアカム１７のギアとが噛合する。これにより、モータ２３の駆動によりモータシャフト２３ａが回動すると、左ギアカム１７が回動することとなる。また、左ギアカム１７のギア外周は第１ギア２１に比べて大きく形成され、第２ギア２２は２段ギアで形成されており、左ギアカム１７の回動は、モータシャフト２３ａの回動に対して適度に減速するようにされている。これにより、左ギアカム１７を緩やかに回動させることができる。
【００２３】
シャッタ位置検出スイッチ２４は、スイッチベース２４ａと、スイッチベース２４ａに回動可能に取り付けられた回動部２４ｂとからなり、スイッチベース２４ａには、取付孔２４ｃが形成されている。回動部２４ｂは、腕部が上方を向く鉛直位置（図４及び図７（Ｂ）参照）に位置するようにバネ（図示せず）により付勢されている。ビスを、取付孔２４ｃを介して左支持板１４のスイッチ取付孔１４ｅにビス締めすると、シャッタ位置検出スイッチ２４は左支持板１４に取り付けられる。シャッタ位置検出スイッチ２４は、ＣＤプレーヤ２の主制御を行う制御部２５に接続されており、回動部２４ｂの回動位置に応じて異なる位置信号（閉位置信号、開放位置信号）を制御部２５に出力する。詳しくは、回動部２４ｂの腕部が、鉛直位置に対して右側に傾斜されているときには閉位置信号を、鉛直方向に対して左側に傾斜されているときには開放位置信号を、制御部２５に出力する。
【００２４】
モータ２３は、モータドライバを介してＣＤプレーヤ２の主制御を行う制御部２５に接続されており、制御部２５によって駆動が制御される。制御部２５は、シャッタ位置検出スイッチ２４から入力される位置信号の種類に応じて、モータシャフト２３ａの回動方向を決定する。本実施形態では、シャッタ位置検出スイッチ２４から、シャッタ１０が閉じている状態を示す閉位置信号が入力されているときには、シャッタ１０を開放するように、モータシャフト２３ａを図４中Ａ方向に回動させ、シャッタ位置検出スイッチ２４から、シャッタ１０が開放している状態を示す開放位置信号が入力されているときには、シャッタ１０を閉じるように、モータシャフト２３ａを図４中Ｂ方向に回動させるようにされている。
【００２５】
右カム１５と左ギアカム１７とは、金属製の連結シャフト２７により連結されている。連結シャフト２７は、両端部にそれぞれ略Ｄ字状の挿入部２７ａが形成されており、この挿入部２７ａには、ビス締め凹部２７ｂが形成されている。挿入部２７ａを、右カム１５の右連結孔１５ｄと左ギアカム１７の左連結孔１７ｄとに挿入し、ビスをビス締め凹部２７ｂにビス締めすると、右カム１５と左ギアカム１７とは連結される。なお、挿入部２７ａと右連結孔１５ｄと左連結孔１７ｄとを、略Ｄ字状に形成したから、連結シャフト２７が空転することがない。これにより、右カム１５と左ギアカム１７とを常に正規の位置関係で連結することができる。さらには、連結シャフト２７を金属製の部材から構成したから、連結シャフト２７は、捻じられる方向の力が加わった場合にも、変形することがない。これにより、より一層確実に右カム１５と左ギアカム１７とを常に正規の位置関係で連結することができる。
【００２６】
本実施形態では、シャッタ１０を開閉させる開閉手段は、右支持板１３、左支持板１４、右カム１５、左ギアカム１７、第１ギア２１、第２ギア２２、モータ２３、制御部２５、連結シャフト２７を備えて構成されている。
【００２７】
図５に示すように、左ギアカム１７の左カム孔１７ａは、シャッタ１０が遮蔽位置に位置するときに第１左挿通ピン１２ｃが挿通される位置から反時計方向に向かうにしたがって、左ギアカム１７の回動中心である左取付孔１７ｂに近付くように形成されている。また、左カム孔１７ａは、角度範囲ＡＲ１が左取付孔１７ｂとは異なる中心（ＣＰ１）で形成され、角度範囲ＡＲ２が左取付孔１７ｂ及び角度範囲ＡＲ１とは異なる中心（ＣＰ２）で形成され、角度範囲ＡＲ３が左取付孔１７ｂと同心円で形成されている。角度範囲ＡＲ１は、シャッタ１０を押圧（遮蔽位置から開放位置に向けて開放）すると、左ギアカム１７が回動するように形成されている。右カム１５も、左ギアカム１７と同様に右カム孔１５ａが形成されている。なお、左カム孔１７ａの形状は、シャッタ１０を開放位置と遮蔽位置との間で変位させるために必要な変位量に応じて、適宜変更されるものである。
【００２８】
図６に示すように、左支持板１４に、シャッタ１０、左ギアカム１７、第１ギア２１、第２ギア２２、モータ２３、シャッタ位置検出スイッチ２４を取り付けるときには、先ず、シャッタ１０の開閉板１２の第１左挿通ピン１２ｃを第１左挿通孔１４ａに、第２左挿通ピン１２ｄを第２左挿通孔１４ｂに、それぞれ挿通させる（図６（Ａ）参照）。
【００２９】
次に、図６（Ｂ）に示すように、シャフト挿通孔１４ｃを介して、ビスをモータ２３にビス締めしてモータ２３を左支持板１４に取り付け、モータシャフト２３ａに第１ギア２１を圧入する。そして、軸ピン１９に第２ギア２２を回動可能に取り付け、第１左挿通ピン１２ｃが左カム孔１７ａに挿通されるように、左支持ピン１８に左ギアカム１７の左取付孔１７ｂを挿通させ、左ギアカム１７を回動可能に左支持板１４に取り付ける。この状態では、第１ギア２１と第２ギア２２とが噛合し、第２ギア２２と左ギアカム１７のギアとが噛合する。そして、ビスを、シャッタ位置検出スイッチ２４の取付孔２４ｃを介してスイッチ取付孔１４ｅにビス締めして、シャッタ位置検出スイッチ２４を左支持板１４に取り付け、右カム１５と左ギアカム１７とを、連結シャフト２７により連結する。
【００３０】
図７及び図８に、シャッタ１０が遮蔽位置から開放位置まで変位する過程を示す。図７（Ａ）に示すように、シャッタ１０が遮蔽位置に位置するときには、シャッタ１０の挿入板１１の挿入部１１ｂが露出開口７に挿入され、露出開口７は遮蔽されている。さらに、シャッタ位置検出スイッチ２４の回動部２４ｂは、開閉板１２の第２スイッチ押圧ボス１７ｇにより鉛直位置よりも図７における右側に傾斜されており、シャッタ位置検出スイッチ２４から制御部２５に閉位置信号が入力されている。なお、図７及び図８においては、左支持板１４とシャッタ位置検出スイッチ２４とを簡略化して図示している。
【００３１】
図７（Ｂ）に示すように、ユーザがシャッタ１０を後方（図７における左方向）に押圧（遮蔽位置から開放位置に向けて開放）すると、左ギアカム１７が図７中Ａ方向に回動し、回動部２４ｂは、腕部が上方を向く鉛直位置まで回動される。これにより、シャッタ位置検出スイッチ２４から制御部２５への閉位置信号の入力が停止される。制御部２５は、閉位置信号の入力が停止されたことに応答して、モータシャフト２３ａを図４中Ａ方向に回動させるようにモータ２３を駆動する。モータシャフト２３ａが図４中Ａ方向に回動すると、第１ギア２１、第２ギア２２を介して左ギアカム１７が図７及び図８中Ａ方向に回動する。
【００３２】
図８（Ａ）に示すように、第１左挿通ピン１２ｃが角度範囲ＡＲ１に位置する間で左ギアカム１７が回動されると、シャッタ１０は、左ギアカム１７の回動により後方（図８における左方向）に移動し、挿入部１１ｂが露出開口７から離脱する。図８（Ｂ）に示すように、第１左挿通ピン１２ｃが角度範囲ＡＲ２に位置するまで左ギアカム１７が回動されると、シャッタ１０は、第２左挿通ピン１２ｄを中心にして、図８中Ｂ方向に回動される。そして、第１左挿通ピン１２ｃが角度範囲ＡＲ３に位置するまで左ギアカム１７が回動されると、露出開口７は、ディスクトレイ５が露出開口７から外部に露出可能になるように、完全に開放される。このとき、シャッタ位置検出スイッチ２４の回動部２４ｂは、第１スイッチ押圧ボス１７ｆにより鉛直位置よりも図８における左側に傾斜されており、シャッタ位置検出スイッチ２４から制御部２５に開放位置信号が入力されている。そして、制御部２５は、シャッタ位置検出スイッチ２４から開放位置信号が入力されたことに応答して、移動機構（図示せず）を駆動して、ディスクトレイ５を露出位置（図２参照）まで移動させる。この状態で、ユーザは、ＣＤ３を着脱する。
【００３３】
図８（Ｂ）に示すように、シャッタ１０が開放位置に位置し、ディスクトレイ５が露出位置（図２参照）に位置するときには、トレイ位置検出センサから制御部２５に露出信号が入力されている。この状態のときに、ユーザがディスクトレイ５を図２における後方に向けて押圧すると、トレイ位置検出センサから制御部２５への露出信号の入力が停止される。制御部２５は、露出信号の入力が停止されたことに応答して、移動機構を駆動して、ディスクトレイ５を収納位置（図１参照）まで移動させる。ディスクトレイ５が収納位置まで移動すると、トレイ位置検出センサから制御部２５に収納信号が入力される。制御部２５は、収納信号が入力されたことに応答して、モータシャフト２３ａを図４中Ｂ方向に回動させるようにモータ２３を駆動する。
【００３４】
モータシャフト２３ａが図４中Ｂ方向に回動すると、左ギアカム１７が図７及び図８中Ｂ方向に回動し、それに応じてシャッタ１０は、第２左挿通ピン１２ｄを中心にして図８中Ａ方向に回動され、その後に前方（図７及び図８における右方向）に移動し、挿入部１１ｂが露出開口７に挿入される。これにより、露出開口７は遮蔽される。
【００３５】
上記のように構成されたＣＤプレーヤ２の作用について説明する。ユーザは、ＣＤ３を交換する場合には、シャッタ１０を後方（図７における左方向）に押圧（遮蔽位置から開放位置に向けて開放）する。シャッタ１０を押圧すると、左ギアカム１７が図７中Ａ方向に回動し、回動部２４ｂは、鉛直位置まで回動される。これにより、シャッタ位置検出スイッチ２４から制御部２５への閉位置信号の入力が停止される。制御部２５は、閉位置信号の入力が停止されたことに応答して、モータ２３を駆動して左ギアカム１７を回動させ、シャッタ１０を遮蔽位置から開放位置まで開放させる。その後、制御部２５は、シャッタ位置検出スイッチ２４からシャッタ１０が開放位置に位置することを示す開放位置信号が入力されたことに応答して、移動機構（図示せず）を駆動して、ディスクトレイ５を収納位置から露出位置まで移動させる。この状態でユーザはＣＤ３を交換する。
【００３６】
このように、シャッタ１０を押圧すると、シャッタ１０を開放させるとともに、ディスクトレイ５を移動させることができるから、シャッタ１０を開放させるための開放スイッチ、及びディスクトレイ５を移動させるための移動スイッチを本体ケース４に設ける必要がなく、本体ケース４のデザインの自由度を高めることができる。
【００３７】
また、シャッタ１０の位置を判別するシャッタ位置検出スイッチ２４を設け、制御部２５は、シャッタ位置検出スイッチ２４でシャッタ１０が開放位置に位置することが検出されたことに応答して、移動機構を駆動して、ディスクトレイ５の移動を開始させるようにしたから、ディスクトレイ５とシャッタ１０とが接触することがない。
【００３８】
さらに、シャッタ１０の挿入部１１ｂを露出開口７に挿入するようにしたから、露出開口７の遮蔽を密に行うことができ、露出開口７からＣＤプレーヤ２内部への異物や塵埃の侵入を確実に防止することができる。
【００３９】
また、シャッタ１０を遮蔽位置から開放位置まで変位させるときに、シャッタ１０を後方に移動させた後に回動させるようにしたから、シャッタ１０を回動のみで遮蔽位置と開放位置との間で変位させるものに比べて、露出開口７とシャッタ１０との位置関係を精密にすることができる。
【００４０】
さらに、ディスクトレイ５の位置を検出するトレイ位置検出センサを設け、制御部２５は、シャッタ１０が開放しているときには、トレイ位置検出センサでディスクトレイ５が収納位置に位置することが検出されたことに応答して、シャッタ１０を閉じるようにしたから、ディスクトレイ５とシャッタ１０とが接触することがない。
【００４１】
なお、上記実施形態では、制御部２５と移動機構とにより、ディスクトレイ５を移動させるようにしたが、ディスクトレイ５をユーザの手動により移動させるタイプのものにも、本発明は実施可能である。
【００４２】
また、上記実施形態では、右カム１５と左ギアカム１７と連結シャフト２７により連結し、左ギアカム１７の回動を右カム１５に伝達させたが、左ギアカム１７だけでシャッタ１０を回動することができる場合には、右カム１５を設けない構成にしてもよい。
【００４３】
さらに、上記実施形態では、左ギアカム１７を回動させてシャッタ１０を変位させたが、これに限定されることなく、カムを移動可能に設け、カムの移動によりシャッタ１０を変位させるようにしてもよく、適宜変更可能である。
【００４４】
また、上記実施形態では、シャッタ位置検出スイッチ２４を設け、回動部２４ｂの回動位置によりシャッタ１０の位置を検出したが、これに限定されることなく、発光部と受光部とを有する光センサでシャッタ１０の位置を検出するようにしてもよく、適宜変更可能である。
【００４５】
さらに、上記実施形態では、モータ２３の回動を、第１ギア２１、第２ギア２２を介して左ギアカム１７に伝達させたが、モータ２３と左ギアカム１７との間に設けるギアの個数は適宜変更可能である。
【００４６】
また、上記実施形態では、ディスクプレーヤとしてＣＤプレーヤ２を例示して説明したが、本発明はこれに限定されることなく、例えばＤＶＤプレーヤ、ＤＶＤレコーダ等にも適用することができる。
【図面の簡単な説明】
【００４７】
【図１】本発明を実施したディスクプレーヤの外観斜視図である。
【図２】ディスクトレイが露出した状態のディスクプレーヤの外観斜視図である。
【図３】シャッタと右支持板と右カムと左ギアカムと連結シャフトとを示す分解斜視図である。
【図４】シャッタと左支持板と左ギアカムと第１ギアと第２ギアとモータと位置検出スイッチとを示す分解斜視図である。
【図５】左ギアカムを示す正面断面図である。
【図６】シャッタと左支持板と左ギアカムと第１ギアと第２ギアとモータと位置検出スイッチとを示す斜視図である。
【図７】シャッタの挿入部が露出開口に挿入された状態のシャッタと左支持板と左ギアカムと位置検出スイッチとを示す側面図である。
【図８】シャッタの挿入部が露出開口から離脱した状態のシャッタと左支持板と左ギアカムと位置検出スイッチとを示す側面図である。
【符号の説明】
【００４８】
２  ＣＤプレーヤ（ディスクプレーヤ）
３  ＣＤ（ディスク）
４  本体ケース
５  ディスクトレイ
６  プレーヤユニット
７  露出開口
１０  シャッタ
１３  右支持板（支持部材）
１４  左支持板（支持部材）
【図１】
2007035129.tif 000003
【図２】
2007035129.tif 000004
【図３】
2007035129.tif 000005
【図４】
2007035129.tif 000006
【図５】
2007035129.tif 000007
【図６】
2007035129.tif 000008
【図７】
2007035129.tif 000009
【図８】
2007035129.tif 000010